(57)【要約】【課題】不注意で針が刺さる可能性を低減する安全針組立体を提供する。【解決手段】安全針組立体１０は針１２を有する。この針１２は、尖った先端と、回動ピンを介して針に取り付けられた、ほぼ平坦な少なくとも一つのウィング２０、２２を有する。ウィングは、針の挿入を容易にするように針の先端が晒されている非防護位置と、不注意で針が刺さる可能性を低減するように針の先端への接触が防がれている防護位置との間で移動することができる。【選択図】図１
2006346506.tif 000002
【特許請求の範囲】
【請求項１】
第一針部の端部における尖った先端と、前記第一針部に対して一定角度に位置している第二針部とを有する針と、
前記第二針部を包囲するハブであって、前記ハブは、ピンを収納するために、第一の直径を有する第一本体部と、前記第一本体部の前記第一直径よりも大きな第二直径を有する第二本体部とを備え、
各々が回動ピンによって前記ハブの前記第二本体部に取り付けられた、ほぼ平坦な２つのウィングをさらに備え、前記ほぼ平坦な２つのウィングは、前記針の挿入を容易にするために前記針の先端が晒されている非防護位置と、防護位置との間で移動可能であり、
前記２つの回動ピンは互いにかつ前記第二針部から離間している、安全針組立体。
【請求項２】
前記針はフーバー針を備えている請求項１に記載の安全針組立体。
【請求項３】
前記第一針部は前記第二針部に対して９０°の角度で位置している請求項１に記載の安全針組立体。
【請求項４】
前記ほぼ平坦な２つのウィングは、前記第二本体部及び前記ピンと協働するための延長部を備えている縁部を各々が備えている請求項１に記載の安全針組立体。
【請求項５】
前記ほぼ平坦な２つのウィングは、非防護位置にある時、ほぼ平坦であり、かつほぼ反対方向に外側に延びている請求項１に記載の安全針組立体。
【請求項６】
第三のウィングをさらに備え、前記第一及び第二のほぼ平坦なウィングは、非防護位置にある時、ほぼ反対方向に外方向に延びており、前記第三のウィングは、前記針の取り外し中において把持部を提供するように、前記針から離れて延びている請求項１に記載の安全針組立体。
【請求項７】
前記ほぼ平坦な２つのウィングは、巻くのを容易にする非防護位置へ移動することができる請求項１に記載の安全針組立体。
【請求項８】
前記第二本体部は、中心線に関して対称であり、前記中心線の各側においてボスを備えている請求項１に記載の安全針組立体。
【請求項９】
第三のウィングを収容するために前記第二針部の上方に位置するボスをさらに備えている請求項１に記載の安全針組立体。
【請求項１０】
前記針が注射部位から取り外される時に前記ほぼ平坦な二つのウィングが重力の作用で前記非防護位置から前記防護位置へ落下するように、前記ほぼ平坦な二つのウィングが前記ハブに取り付けられている請求項１に記載の安全針組立体。
【請求項１１】
前記二つのウィングは、各々、取り付け端部と、自由端部とを備え、前記ほぼ平坦なウィングの各々の前記取り付け端部は、一体に形成されたピンを備えている請求項１に記載の安全針組立体。
【請求項１２】
前記ハブは一定高さの第一高さ寸法を備え、前記高さ寸法は、第二高さ寸法よりも小さい請求項１に記載の安全針組立体。
【請求項１３】
前記ウィングの各々は、間隙をもって互いに離間している、一体に形成されたピンを２つ備えている請求項１に記載の安全針組立体。
【請求項１４】
前記二つのウィングは、防護位置で永久に固定されるように構成されている請求項１に記載の安全針組立体。
【請求項１５】
前記ハブ上に形成された２つの移動止め部と、
ほぼ平坦なウィングの各々上に形成された相補的な第二の移動止め部とをさらに備え、前記ほぼ平坦な２つのウィングの移動により、前記ほぼ平坦な２つのウィングを前記ハブに係合させる請求項１に記載の安全針組立体。
【請求項１６】
前記ほぼ平坦な２つのウィングの各々は、矩形であり、取り付け端部上でボスを備えている請求項１に記載の安全針組立体。
【請求項１７】
前記２つのウィングは、前記防護位置で互いに接触している請求項１に記載の安全針組立体。
【請求項１８】
前記ほぼ平坦な２つのウィングは、前記ハブ上の２つの傾斜面に沿って前記ハブと接触する請求項１に記載の安全針組立体。
【請求項１９】
前記ハブの一部分と各前記ほぼ平坦なウィングの一部分を通って延びている２つのピンをさらに備えている請求項１に記載の安全針組立体。
【請求項２０】
前記ハブは、上面と、下面と、前記下面上に形成された２つのチャンネルとを備えている請求項１に記載の安全針組立体。
【請求項２１】
尖った先端及び基部を有する針と、
前記針の基部の近傍において前記針に形成されたハブと、
取り付け端部と、自由端部と、一平面とを各々が備えている、ほぼ平坦な２つのウィングと、
ほぼ平坦なウィング上の各々に形成された第一移動止め部材と、
各第一移動止め部材のために前記ハブ上に形成された相補的な第二移動止め部材とを備え、前記第一移動止め部材及び前記第二移動止め部材は、前記第一のほぼ平坦なウィング及び前記第二のほぼ平坦なウィングを防護位置で永久に固定するように協働するように構成されており、
前記２つの平面が前記尖った先端近傍で収束するべく、一方の取り付け端部が他方の取り付け端部から離間して前記２つのウィングが互いに一定角度で延びているように、前記ほぼ平坦な２つのウィングの２つの前記取り付け端部が、互いに回動可能に前記ハブに取り付けられている、安全針組立体。
【請求項２２】
前記ハブから延びている第三ウィングをさらに備え、前記第三ウィングは、前記針が注射部位から取り外される時の把持を容易にするように構成されている、請求項２１に記載の安全針組立体。
【請求項２３】
前記針は９０°フーバー針である請求項２１に記載の安全針組立体。
【請求項２４】
前記２つのウィングは、各々が、回動ピンに回動可能に取り付けられており、前記回動ピンが前記ハブに取り付けられている請求項２１に記載の安全針組立体。
【請求項２５】
２つの前記回動ピンは、前記針と平行でありかつ前記針から離間している請求項２４に記載の安全針組立体。
【発明の詳細な説明】
【技術分野】
【０００１】
本発明は、皮下注射針に関し、とりわけ、不注意で針が刺さる可能性を低減するように、針周りで折り畳まれる一対の安全ウィングを有する９０°フーバー針に関する。
【背景技術】
【０００２】
移植されたアクセスポート用フーバー針が公知である。このようなフーバー針は、薬物療法において、又は移植された血管アクセスポートを介して抗生物質又は他の薬剤を注射するために使用される流体を注射するためにしばしば使用される。フーバー針は、それが（移植された血管アクセスポートの隔壁などの）エラストマー隔壁を通して挿入され、エラストマーの一部分が切除される時、従来の針で起こるコアリングを最小化するように構成されている。コアリングにより、アクセスポートからの漏れを引き起こし、その結果としてアクセスポートを交換することが必要となる可能性があるので、移植された血管アクセスポートに対して非コアリング針を使用することが重要である。
【０００３】
現代のフーバー針は、一般に、ハブから延びている直角の針と、水平面内でハブから外方向に一般に延びているほぼ共平面の二つのウィングとを備えている。以下に詳細に説明するように、ウィングは、フーバー針を把持しかつ操作するために使用されている。フーバー針は、その中に形成された９０°湾曲部を有するステンレス鋼針を備え、鋭い先端が針の遠端において形成され、ハブが針の近端部に形成されている。管は、流体の注射を容易にするように針の近端部から延びている。ハブから反対方向に延びているウィングは、ウィングがハブに取り付けられている位置に形成されているリビングヒンジを組み込んでいる。リビングヒンジは、ウィングの上方への曲げを容易にし、ウィングは、ほぼ平行に層状に互いに並置されて配置され、針挿入処置中においてハンドルとして使用されている。
【０００４】
フーバー針は、一般的に、外方向に延びているほぼ水平なウィングを上方に曲げることによって、移植された血管アクセスポートに接触するために使用されており、これらウィングは、ほぼ平行に層状に互いに関して並置され、次いで、一方の手の親指と人差し指の間において、上方に曲げられた二つのウィングを把持する。次に、フーバー針の尖った先端は、皮膚を通して、移植された血管アクセスポート内へ挿入される。
【０００５】
挿入後、フーバー針のウィングは、ウィングが患者の皮膚上でほぼ平坦に載るように、ほぼ共平面の構成に回復することが許容されている。次いで、ウィングは、注射処置中においてフーバー針の望ましくない移動を防ぐように患者の皮膚に巻かれる。流体は、移植された血管アクセスポート内へフーバー針を通して注射される。所望量の流体がアクセスポート内に注射された後、フーバー針が解放され、針が注射部位から取り外される。
【発明の開示】
【０００６】
フーバー針を含む皮下注射針に関する一般的な問題は、不注意で針が刺さることである。一旦、針が注射部位から取り外されると、針は、介護者を与える人の体のいくつかの部分と事故的に接触する可能性があり、その結果、不注意で針が刺さる。使用済みの針の保護されていない鋭い針で皮膚を単に引掻くだけで、Ｃ型肝炎又はエイズなどの致命的な及び／又は衰弱する感染症を伝染するのに十分な可能性があるということが認識される。それゆえ、不注意で針が刺さる可能性を低減する手段を提供することが重要である。
【０００７】
本発明の原理の実施によって構成される安全針組立体は、尖った先端を有する針と、回動ピンを介して針に取り付けられたほぼ平坦な少なくとも一つのウィングとを備えている。ウィングは、針の挿入を容易にするように先端が晒された、非防護位置と、不注意で針が刺さる可能性を著しく低減するように針の先端への接触が阻止されている、防護又は遮蔽位置との間で移動することができる。
【０００８】
本発明のこれら及び他の利点は、以下の記載及び図面からより明らかになるであろう。
【発明を実施するための最良の形態】
【０００９】
添付図面と関連して以下に記載した詳細な説明は、本発明の好適な実施例の安全針組立体の記載として意図されており、安全針組立体が構成又は利用されうる唯一の形態を示すことが意図されているのではない。９０°フーバー針を組み込んだ本発明の安全針組立体は、本明細書中において記載かつ示されているが、当業者は、異なる種々のタイプの針又は注射装置を組み込みうるということを認識するであろう。したがって、９０°フーバー針を組み込んだ本発明の安全針組立体の考察及び説明は、単なる例示であり、制限するのではない。
【００１０】
以下により詳細に説明するように、本発明の安全針組立体は、意図せずに針が動かなくなる可能性を著しく低減するように、片手で患者から引込められかつ針防護又は遮蔽構成の中に配置されるように構成されている。
【００１１】
ここで図１及び２を参照すると、安全針組立体１０は、好ましくは９０°フーバー針１２である針を備えている。この針１２は、遠端において、非コアリング先端１４を有する、垂直方向に延びている軸部１３と、近端において、ほぼ水平方向に延びている基部又はアーム部１６とを備えている。ハブ１８は、基部１６、第一ウィング２０及び第二ウィング２２それぞれにおいて、回動ピン２４を介して、蝶番で又は回動可能にハブに取り付けられている。回動ピン２４の各々は、好ましくはボス２６を貫通する。このボス２６は、ハブ１８からほぼ水平に延びており、回動ピン２４がその中で保持されるように回動ピン２４を受容しかつ摩擦係合するために、その中で形成された開口又はボア２８を有する。回動ピン２４は、ウィング２０及び２２に形成されたボア２９内に受容されている。ボア２９は、回動ピンとの間の摩擦を緩和し、それゆえ、以下に詳細に説明するように、ハブ１８に関してウィング２０及び２２を容易に低摩擦で移動させることができる。管２７は、好ましくはハブ１８を介して針１２の基部の遠端に取り付けられている。この管２７は針１２と流体的に連通しており、それにより注射器又は注射バッグ等を介して注射するのが容易となる。
【００１２】
第一ウィング２０及び第二ウィング２２は、好ましくはほぼ平坦な形状である。ここに使用されているように、語「ほぼ平坦な」は、互いに関して共通の平面から外れて移動する複数のウィング部を形成するように、長さ又は幅に沿って折り曲げる又は回動するウィングを含まないように規定されている。したがって、本発明の一つの好適な実施例の第一及び第二のウィングの各々は、ウィングの位置に関わらず、平面をほぼ形成する。さらに、第一及び第二のウィングの各々は、ほぼ平面状又は滑らかな上面を有し、ウィングを患者に容易に巻くことができる。第一及び第二のウィングの各々は、好ましくは、ほぼ平面状又は滑らかな下面をさらに有し、一様でない又は滑らかでない表面によって引き起こされる患者への不快感を緩和する。
【００１３】
ウィングを防護又は遮蔽位置で保持する任意の固定機構を有する本発明の安全針組立体全体は、滑らかであり、患者の快適さを向上させるように構成されている。実際、本発明は、患者を不快にしがちな、下方に延びている突出部を有しない。
【００１４】
針１２は、容易に見ることができ、かつ針先端１４を移植された血管アクセスポート内へ配置することができるように、ハブ１８の端部１８ａから延びている。このような針の前方の配置により、さらに、注射中において注射部位を容易に見ることができ、安全針組立体の適切な操作が保証される。さらに、針の軸部１３をハブの前へ配置することにより、針の先端が使用者の指からより遠くに位置決めされるという点でさらに安全性が得られる。
【００１５】
前述のように、本発明の針がハブの前へ延びていることが好ましいが、本発明の回動ウィングは、針がハブの中心近傍の位置から下方に延びている同様な針装置における用途にも同様に適しているということが理解される。実際、本発明は、針がハブの異なる種々の部分から延びている、異なる種々の構成の針組立体において用途を見出すことができる。
【００１６】
選択的に、安全針組立体は、好ましくは、回動ピン３２を介してハブ１８に蝶番で又は回動可能に取り付けられている、補助的な又は第三のウィング３０をさらに備えている。回動ピン３２は、ハブ１８から上方に延びておりかつ回動ピンを受容しかつ摩擦係合するためにその中で形成されている開口３８及び４０を有する、二つのボス３４及び３６を好ましくは貫通し、回動ピンは、この開口３８及び４０内に保持されている。回動ピン３２は、第三ウィング３０内で形成されているボア（図２）内で受容されている。第三ウィング３０は、それがハブ１９から上方に延びる位置へ回転させることができる（図１及び２に示す）、あるいは、第三ウィング３０は、それがほぼ平坦に位置する位置へ回転させることができる（図３及び４に示す）。第三ウィング３０が回動ピン３２と十分には摩擦係合せず、それにより、第三ウィング３０が上に延びている位置からほぼ平坦な位置へ容易に回転できるように、ボア４２は好ましくは寸法決められている。あるいは、第三ウィングは、それがハブ１８から上方に延びかついかなる他の位置に実質的に移動しないように、ハブ１８と一体に成形することができる。
【００１７】
前述のように、ウィング２０及び２２をハブ１８に取り付ける回動ピン２４は、ハブ１８に形成された開口２８内に摩擦係合され、ピン２４は、各ウィングのボア２９と強くは摩擦係合しないようにボア２９内で受容されている。それゆえ、各ウィング２０及び２２は、付随の回動ピン２４回りで自由に回転し、各ウィングは、外側に延びているほぼ共平面の非防護位置（図３及び４に示すように）から、下方に延びているほぼ平行な防護位置（図１及び２に示すように）へ自重、すなわち、重力の作用で容易に落下する又は折り畳まれる。すなわち、安全針組立体１０が第三ウィング３０によって拾い上げられる時、例えば、第一ウィング２０及び第二ウィング２２は、図１に示すように、ほぼ防護又は遮蔽された位置へ少なくとも落下する傾向がある。
【００１８】
ハブ１８、第一ウィング２０、第二ウィング２２及び第三ウィング３０は、好ましくは、ポリメタクリル酸メチル、ポリカーボネート及びＡＢＳ（アクリロニトリルブタジエンスチレンターポリマー）などの成形プラスチック材料で好ましくは形成されている。針１２、回動ピン２４及び回動ピン３２は、好ましくはステンレス鋼である。本発明の安全針組立体の製造についての一実施例において、ハブ１８は針１２へインサート成形される。
【００１９】
図３及び４を特に参照すると、第一ウィング２０及び第二ウィング２２が反対に延びているほぼ水平な平面構成であり、第三ウィング３０が第一及び第二のウィングに関してほぼ平坦であるように第三ウィング３０が折り畳まれている、安全針組立体が示されている。このほぼ平坦な構成の安全針組立体１０において、望ましくなく注射部位から針１２を移動させてしまう及び／又は不注意で注射部位から針１２を除去するのを防ぐように、第一、第二及び第三のウィングを注射部位近傍で患者の皮膚へ巻くことができる。
【００２０】
ここで図５を参照すると、ウィングがほぼ平行に下方に延びている防護又は遮蔽位置にある第一ウィング２０及び第二ウィング２２が示されている。この防護位置において、第一及び第二のウィングは、ハブ１８に関して所定位置に永久に固定される。このような固定は、好ましくは、ハブ１８に形成された雌移動止め部６０及び６２それぞれと、第一及び第二のウィングの近端部において形成されている相補的な雄移動止め部６４及び６６によって容易になる。
【００２１】
好ましくは、第一及び第二の雌移動止め部は、下方に延びている柔軟なフランジ部６８及び７０それぞれに形成されており、フランジ部６８、７０は、ハブ１８に形成されている第一及び第二の通路７２及び７４それぞれによって形成されている。第一及び第二の雌移動止め部６０及び６２は、このようなフランジ部６８、７０に形成され、第一及び第二の雄移動止め部６４及び６６の永久的な固定を容易にする。柔軟な第一及び第二のフランジ部６８、７０は第一及び第二の雄移動止め部６０、６２を受け入れるように容易に変形する又は曲がるということを当業者は認識するであろう。すなわち、第一及び第二のウィングが非防護位置から防護位置へ回転させられる時、第一及び第二の雄移動止め部６４、６６は、それぞれの柔軟なフランジ部６８及び７０に対してカム運動し、雄移動止め部６４及び６６が対応の雌移動止め部６０及び６２と係合して雄移動止め部６０、６２によって受容されうるのに十分に内側に柔軟なフランジ部を曲げる。
【００２２】
図５に示すように、第一ウィング２０及び第二のウィング２２の遠端部又は先端７６及び７８は、防護又は遮蔽位置にある時、好ましくは互いに触れている又は互いにほとんど触れている。したがって、針１２の鋭い先端１４は、第一及び第二のウィングによって良好に遮蔽され、不注意で針が刺さる可能性が低減される。
【００２３】
ここで図６を参照すると、ほぼ水平な位置にあるハブ１８から外方向に延びている第一ウィング２０が示されている。ほぼ垂直な位置において、ハブ１８から上方に延びている第一ウィング２０が点線で示されている。ウィング２０の、ほぼ水平に外方向に延びている位置と、ほぼ垂直に上方に延びている位置の両方は、ウィング２０の非防護位置を規定している。第二ウィング２２の非防護位置は同様に規定される。第一ウィング２０及び第二ウィング２２の両方は、安全針組立体１０がそれによって挿入処理又は除去処理中に保持されるハンドル又はグリップを形成するようにウィング２０、２２がハブ１８から上方に延びるように位置決めされている。
【００２４】
図７〜９をここで参照すると、ハブ１８は、好ましくは本体９０を備えている。管ポート９２が本体９０から延びており、柔軟な管２７（図１及び２に示される）がこの管ポート９２内に受容されている。好ましくは、管ポート９２のボア９６内に柔軟な管を熱接合することによって、柔軟な管がハブ１８に永久に取り付けられる。ハブ９０の長さに沿っている中央ボア９６は、ハブ１２の基部１６を受容して取り付ける（図１〜５）。
【００２５】
本発明の安全針組立体の構造を詳細に記載したので、その作用について記載することが有利である。図３を再び参照すると、ほぼ平坦で体積効率よく包装するのを容易にするために、安全針組立体１０は、第一ウィング２０及び第二ウィング２２が外方向に延びているほぼ共平面である水平な構成である、殺菌パック内に一般に設けられている。もし設けられるならば、選択的な第三ウィング３０は、好ましくは、同様に、折り畳まれた又は平坦な位置にある。選択的な第三ウィング３０は、必要に応じて、いずれの方向にも折り畳まれてもよい。
【００２６】
第一ウィング２０及び第二ウィング２２は、一般に、使用者によって、上方に延びているほぼ平行な構成（図６の第一ウィングについて点線で示されている）に折り畳まれる又は回動させられるのが一般的である。公知の原理による挿入処理中において安全針組立体１０を把持する手段を提供する。上方に延びている二つのウィング２０及び２２を一方の手の親指と人差し指の間で保持しつつ、注射部位において移植された血管アクセスポート内へ針１２の先端１４を挿入する。一旦、針１２が完全に挿入されると、図３及び４に示すように、外側に延びているほぼ共平面の位置へ第一及び第二のウィングが移動させられる。回動する第三ウィング３０が設けられる場合、ほぼ平坦な位置へ同様に移動させられる。第一ウィング２０、第二ウィング２２及び第三ウィング３０は、針１２の注射部位から意に反して移動させる及び／又は針１２の注射部位から事故的に除去することを防止するように、患者の皮膚に巻かれうる。
【００２７】
回動しない第三ウィング３０が設けられる場合、回動しない第三ウィング３０（前述のように、ハブ１８に一体形成されている）は、上方に延びている位置にあるままであり、ほぼ共平面にある第一ウィング２０と第二ウィング２２が患者の皮膚に巻かれる。
【００２８】
前述のように、針組立体は、前述のように血管アクセスポート内の適所にあり、必要に応じて、流体が患者に注射される。注射処理が完了した時、テープが除去され、安全針組立体１０の針１２は注射部位から取り外されうる。選択的な回動する第三ウィング３０が設けられる場合、第三ウィング３０が、上方に延びている位置へ移動させられ、（例えば、親指と人差し指の間で）把持され、注射部位からの針１２の取り外しを容易にする。すなわち、安全針組立体１０は、一方の手の親指と人差し指の間で第三ウィング３０を保持することによって、引張って患者から離しうる。
【００２９】
第三ウィング３０が設けられない場合には、安全針組立体１０は、第一及び第二のウィング及び／又はハブ１８の一方又は両方を保持することによって、引張って患者から離しうる。第一ウィング及び／又は第二ウィングを保持することによって安全針１０が患者から離れて引張られる場合、その後、第一ウィング及び／又は第二ウィングは解放され、安全針組立体１０は、（例えば、図７において、管ポート７２によって）ハブ１８によって保持され、以下に説明するように、針先端遮蔽位置にウィングを落下させることができる。
【００３０】
安全針組立体１０が移動させられて患者から離される時、第一ウィング２０と第二ウィング２２は、自重で、図５に示すほぼ防護又は遮蔽位置へ落下する。すなわち、ウィングは、好ましくは、ウィングがほぼ共平面の水平に延びている非防護位置から、下方に延びているほぼ平行な位置へ落下するほどに十分な重量を有するように構成されている。第一及び第二のウィングの前述の構成は、ハブへの低摩擦の回動可能な取り付けと組合わせて、安全針組立体が拾われて患者から離される時にウィングが落下することを保証する。
【００３１】
第一及び第二のウィングは、先端７６及び７８が互いに近く好ましくは互いに接触するほぼ平行な位置へ落下する傾向がある。ウィングが自重で落下する時、ウィングは、第一雌移動止め部６０及び第二雌移動止め部６２それぞれと係合する第一雄移動止め部６４及び第二雄移動止め部６６によって永久にこの防護位置へ固定される。
【００３２】
ウィングが重力の作用で防護又は遮蔽位置に固定されない場合には、安全針組立体１０を取り外すために使用されている手の指は、ウィングを共に搾り、第一及び第二雄移動止め部を対応の第一及び第二雌移動止め部にスナップ嵌めし、ウィングを防護又は遮蔽位置（図５）に永久に固定することができる。この防護固定位置において、針１２の鋭い先端１４へ接触することが防がれている。第一及び第二のウィングが下方に延びているほぼ平行な防護位置にある時、第一ウィングと第二ウィングは互いに平行であり、互いに関してほとんど又はほぼ平行（反対の端部よりも先端同士がより近い、わずかな角度）とすることができる。この防護位置において、ウィングは、手の小指ですら、指がウィングの間に入って針に刺さるのを防ぐ。したがって、本発明の安全針組立体１０を用いることで、不注意で針が刺さる可能性が著しく低減される。さらに、前述のように、一旦、ウィングが固定されると、ウィングは、固定位置に永久に保持されて移動させることができない。これにより、針先端が針の処分処置時に遮蔽され、本発明の針組立体１０を使用する時の安全にさらに貢献するということが保証される。
【００３３】
第一及び第二のウィングは、自重で中間位置へ落下する。この中間位置において、第一及び第二のウィングはほぼ水平でなく、第一及び第二のウィングは防護位置で固定されない。むしろ、第一及び第二のウィングは、ほとんど固定位置であるが完全には固定位置ではない位置へ自重で落下する。この中間位置において、第一及び第二のウィングは固定しない。それゆえ、前述のように、第一及び第二のウィングが中間位置へ落下する時、第一及び第二のウィングが固定防護位置へ移動することが必要である。
【００３４】
安全針組立体が拾い上げられ又は患者から取り外され、第一及び第二のウィングが防護又は遮蔽位置へ落下する時、第一及び第二のウィングは、ウィングが固定されているかいないかに関わらず、不注意で針が刺さるのを保護する角度を提供することを注意することが重要である。すなわち、ウィングが防護位置へ固定されないけれども、ウィングは針の鋭い先端をほぼ包囲し、ウィングは針の先端と接触するのを防ぐのに役立つ。
【００３５】
前述のように、第一及び第二のウィングの固定を有効にするために安全針組立体１０を取り外すために使用される同じ手を用いることは、意に反して反対の手を使用することを避けるという点で有利である。当業者が認識するように、反対の手を使用することにより、不注意で針が刺さる可能性をかなり高める。
【００３６】
本発明の別実施例において、第一及び第二のウィング２０及び２２は、安全針組立体１０が患者から取り外される時に自重で落下するのを容易にするほどに十分に緩くは回動ピン２４に取り付けられていない。この実施例において、図５に示すように、介護者が、第一及び第二のウィングを固定防護位置へ下方に駆動することが必要となるであろう。さらに、図５に示すように、このように第一及び第二のウィングの固定防護位置への駆動は、好ましくは、安全針組立体１０を保持する同じ手で行われる。
【００３７】
ここで図１０を参照すると、本発明の別の構成によれば、回動ピン２４及び／又は回動ピン３２（全て図２に最もよく示されている）が、一体に形成されたピン１０２及び１０８それぞれと交換され、それにより、製造コストを容易に低減し、かつ本発明の組立体を簡単化する。
【００３８】
とりわけ、本発明の別の構成によれば、第一ウィング２０及び第二ウィング２２の各々は、カットアウト部１０６によって分離された、上方に延びているほぼ平行な二つの柱部１０４を備えている。各柱部１０４は、外方向に延びているピン１０２を有する。このピン１０２は、例えば射出成形により柱部１０４と一体に形成されており、ハブ１０８に形成された相補的開口２８内に挿入することができるように構成されている。前述のように、ピン１０２及び相補的開口２８は、第一ウィング２０及び第二ウィング２２が重力の作用で下方に移動するのを容易にするようにピン１０２及び開口２８が協働するように好ましくは形成されている。すなわち、ピン１０２は、好ましくは、ハブ１８の開口２８の直径よりもかなり小さな直径を有するように寸法決めされている。
【００３９】
各ウィング２０、２２の柱部１０４を互いに向けて搾る（それによりカットアウト部１０６の寸法を低減する）ことにより、第一ウィング２０及び第二ウィング２２はハブ１８へ組み立てられ、ピン１０２は開口２８内で受容される。各ウィング２０、２２の二つのピン１０２の一つは、他のピン１０２を対応の開口２８内に挿入する前に対応の開口２８内に挿入することができる。
【００４０】
同様に、第三ウィング３０は、それに形成された柱部１１０から外方向に延びておりかつカットアウト部１１２によって互いに分離されたピン１０８を介してハブ１８に取り付けられている。
【００４１】
柱部に形成されたピンがここに記載されかつ図１０に示されているが、当業者は、（回動ピン２４及び／又は３２の必要性をなくす）他の一体形成された種々の取り付け手段も同様に適しているということを認識するであろう。
【００４２】
本明細書に記載されかつ図面に示された、例示的な安全針組立体は、本発明の現在好適な実施例のみを示しているということが理解される。実際、本発明の精神及び範囲から逸脱することなく、このような実施例に種々の修正及び追加を施すことができる。例えば、ウィング２０及び２２を防護位置に固定するための異なる種々の機構が意図される。さらに、ウィングは、異なる種々の形状又は構成を有しうる。しかしながら、ウィング２０及び２２は、針２０の先端１４を十分に覆って針２０の先端１４への接触を防ぐことが重要である。一般に、注射処置中において、患者の快適さを高めるために、ウィングはほぼ平坦な下面を有することが好ましい。したがって、これら及び他の修正及び追加は、当業者に明らかであり、異なる種々の用途において使用するために、本発明を応用するように採用されうる。
【図面の簡単な説明】
【００４３】
【図１】本発明の安全ウィングを有するフーバー針組立体の半略図的斜視図であり、ウィングが互いに関してほぼ平行である、針先端防護又は遮蔽位置にあるウィングを示している。
【図２】図１のフーバー針の半略図的分解図である。
【図３】図１のフーバー針の半略図的平面図であり、ウィングが互いに関してほぼ共平面であり、一つの非防護位置にある第一及び第二のウィングを示し、折り畳まれている第三ウィングを示している。
【図４】図３のフーバー針の半略図的な端面図である。
【図５】図１のフーバー針の部分的に断面である半略図的端面図であり、ウィングが互いに関して平行である、針先端防護又は遮蔽位置に固定されたウィングを示す。
【図６】図１のフーバー針の半略図的な拡大端面図であり、固定されていない水平方向に延びている位置にある一つのウィングを示し、（点線で上方に延びている同ウィングを示し、）固定された下方に延びている位置における別のウィングを示す。
【図７】図１のフーバー針のハブの半略図的な平面図である（第三のウィングを取り付ける構造を省略している）。
【図８】図１のフーバー針のハブの半略図的な側面図である（第三のウィングを取り付ける構造を省略している）。
【図９】図１のフーバー針のハブの半略図的な断面図である（第三のウィングを取り付ける構造を省略している）。
【図１０】本発明の別な構成のフーバー針の半略図的な分解図である。
【符号の説明】
【００４４】
１０    安全針組立体
１２    針
２０    ほぼ平坦なウィング
２２    ほぼ平坦なウィング
【図１】
2006346506.tif 000003
【図２】
2006346506.tif 000004
【図３】
2006346506.tif 000005
【図４】
2006346506.tif 000006
【図５】
2006346506.tif 000007
【図６】
2006346506.tif 000008
【図７】
2006346506.tif 000009
【図８】
2006346506.tif 000010
【図９】
2006346506.tif 000011
【図１０】
2006346506.tif 000012